(57)【要約】【課題】観察者の眼前に配置されて、表示した映像を外界物体の像に重畳させて観察者に提供する映像表示装置において、使用形態に適したコンパクトな構成であり、かつ良好で広画角の映像を提供し得る構成とする。【解決手段】プリズム３２は、映像形成部材３１からの映像光を入射させる入射面３３と、体積型で位相型で反射型のホログラム３５からなり光学的パワーを有するホログラム面３５と、入射角度により透過・反射を選択的に行う光束選択面ＳＬと、を有する。偏向補正部材ＤＣは、光束選択面ＳＬと対向し、外界光の透過部分で生じる偏向を補正する。プリズム３２の光学面が有する光学的パワーによって、所定の位置に映像光の虚像を形成する接眼光学系が構成される。偏向補正部材ＤＣの瞳側の光学面３８は、映像光と外界光とに対して視度補正機能を持つ光学的パワーを有する。【選択図】図８
2010092061.tif 000002
【特許請求の範囲】
【請求項１】
観察者の眼前に配置されて、表示した映像を外界物体の像に重畳させて観察者に提供する映像表示装置において、
映像表示を行う映像表示手段と、
映像表示手段からの映像光を入射させる入射面と、体積型で位相型で反射型のホログラムからなり光学的パワーを有するホログラム面と、入射角度により透過・反射を選択的に行う光束選択面と、を有するプリズムと、
前記光束選択面と対向し、前記外界光の透過部分で生じる偏向を補正する偏向補正手段と、を備え、
前記プリズムの光学面が有する光学的パワーによって、所定の位置に映像光の虚像を形成する接眼光学系が構成され、
前記偏向補正手段の瞳側の光学面は、映像光と外界光とに対して視度補正機能を持つ光学的パワーを有し、
前記映像表示に基づく映像光は、前記光束選択面で反射され、前記ホログラム面で反射され、前記光束選択面で透過された後、前記偏向補正手段で透過されて観察者の瞳に導かれ、
前記外界物体に基づく外界光は、前記ホログラム面で透過され、前記光束選択面で透過された後、前記偏向補正手段で透過されて観察者の瞳に導かれることを特徴とする映像表示装置。
【請求項２】
前記光束選択面での反射が全反射であることを特徴とする請求項１記載の映像表示装置。
【請求項３】
前記ホログラム面が平面であることを特徴とする請求項１又は２記載の映像表示装置。
【請求項４】
前記偏向補正手段は、前記外界光の透過部分との間に微小な間隔をおいて平行に配置される媒質境界面を有することを特徴とする請求項１〜３のいずれか１項に記載の映像表示装置。
【請求項５】
前記光束選択面が平面であることを特徴とする請求項１〜４のいずれか１項に記載の映像表示装置。
【請求項６】
前記光束選択面が光学的パワーを有することを特徴とする請求項１〜４のいずれか１項に記載の映像表示装置。
【発明の詳細な説明】
【技術分野】
【０００１】
本発明は、観察者の眼前に配置されて使用される映像表示装置に関し、特に表示器で表示される映像の虚像と、前方視野の自然風景等の外界像とをホログラムコンバイナによって空間的に重畳させて観察者に提供する映像表示装置に関するものである。
【背景技術】
【０００２】
頭部に装着され、あるいは手で保持されて、観察者の眼前にて使用される映像表示装置があり、航空機用として高度，速度等の飛行情報を表示するものから、個人シアタ用として、映画，テレビゲーム，人工現実感を表示するものが開発され製品化されている。また、最近ではコンピュータ用のディスプレイとして用いるものが研究されている。
【０００３】
このような映像表示装置には、外界を見ることのできるシースルー型と、外界を見ることのできないクローズ型がある。人工現実感を表示する場合は、クローズ型の方が好ましい場合もあるが、携帯用としては大抵の場合、シースルー型の方が向いている。シースルー型の映像表示装置は、映像表示手段及びこの映像表示手段で表示される映像を観察者に見やすい場所に虚像として提供する観察光学系の他に、映像光と外界光とを重合するビームコンバイナを備える。
【０００４】
ビームコンバイナとして、ハーフミラー，偏光ビームスプリッター，ホログラム等を用いることができる。反射型のホログラムは、波長選択性が高いので、特定の波長の光のみを回折させることができ、特定の波長の映像光と、その波長を除いた外界光とを重ねて見る際に、外界光の光量損失が非常に小さく優れている。このような特徴を有する反射型のホログラムをコンバイナとして用いたシースルー型の映像表示装置が、特許文献１，２等に開示されている。
【先行技術文献】
【特許文献】
【０００５】
【特許文献１】特開平５−３４６５０８号公報
【特許文献２】特開平１０−３１９３４３号公報
【発明の概要】
【発明が解決しようとする課題】
【０００６】
反射型のホログラムコンバイナを用いた映像表示装置においては、ホログラムコンバイナに対して観察側から映像光を与えるので、ホログラムコンバイナに入射される映像光と、ホログラムコンバイナから出射される映像光の反射光及び外界光からなる観察光とを分離する必要性が生じる。このため、上記各特許文献の映像表示装置においては、ホログラムコンバイナの偏心量を大きくして前記映像光と観察光の分離を可能としている。しかしながら、ホログラムコンバイナの偏心量が大きいので、偏心収差が発生し良好な映像を提供できず、さらに広画角な映像を提供できないという問題点を有する。また、映像表示手段からホログラムコンバイナまでの光学系の光軸が一直線であるため、装置全体のコンパクト性に欠ける。
【０００７】
本発明は、上記問題点に鑑みてなされたものであり、使用形態に適したコンパクトな構成であり、かつ良好で広画角の映像を提供し得るシースルー型の映像表示装置を実現することを目的とする。
【課題を解決するための手段】
【０００８】
上記目的を達成するために、第１の発明の映像表示装置は、観察者の眼前に配置されて、表示した映像を外界物体の像に重畳させて観察者に提供する映像表示装置において、映像表示を行う映像表示手段と、映像表示手段からの映像光を入射させる入射面と、体積型で位相型で反射型のホログラムからなり光学的パワーを有するホログラム面と、入射角度により透過・反射を選択的に行う光束選択面と、を有するプリズムと、前記光束選択面と対向し、前記外界光の透過部分で生じる偏向を補正する偏向補正手段と、を備え、前記プリズムの光学面が有する光学的パワーによって、所定の位置に映像光の虚像を形成する接眼光学系が構成され、前記偏向補正手段の瞳側の光学面は、映像光と外界光とに対して視度補正機能を持つ光学的パワーを有し、前記映像表示に基づく映像光は、前記光束選択面で反射され、前記ホログラム面で反射され、前記光束選択面で透過された後、前記偏向補正手段で透過されて観察者の瞳に導かれ、前記外界物体に基づく外界光は、前記ホログラム面で透過され、前記光束選択面で透過された後、前記偏向補正手段で透過されて観察者の瞳に導かれることを特徴とする。
【０００９】
第２の発明の映像表示装置は、上記第１の発明において、前記光束選択面での反射が全反射であることを特徴とする。
【００１０】
第３の発明の映像表示装置は、上記第１又は第２の発明において、前記ホログラム面が平面であることを特徴とする。
【００１１】
第４の発明の映像表示装置は、上記第１〜第３のいずれか１つの発明において、前記偏向補正手段は、前記外界光の透過部分との間に微小な間隔をおいて平行に配置される媒質境界面を有することを特徴とする。
【００１２】
第５の発明の映像表示装置は、上記第１〜第４のいずれか１つの発明において、前記光束選択面が平面であることを特徴とする。
【００１３】
第６の発明の映像表示装置は、上記第１〜第４のいずれか１つの発明において、前記光束選択面が光学的パワーを有することを特徴とする。
【発明の効果】
【００１４】
本発明によると、光束選択面を設けることにより、広画角で偏心収差の少ない良好な表示映像を観察者に提供することができる。また、反射型のホログラムをコンバイナとして用いることにより、明るく自然な外界像を提供することができる。さらに、前記ホログラムからなるホログラム面に光学的パワーを持たせて、接眼機能を有する構成とすることにより、表示映像の拡大表示が可能な構成でありながら、他のレンズ等を設けることなく簡素でコンパクトな構成が達成される。また、外界光の偏向を補正する偏向補正手段を設けることにより、傾きのないより自然な外界光の観察が可能となり、その偏向補正手段の瞳側の光学面に、映像光と外界光とに対して視度補正機能を持つ光学的パワーを持たせることにより、観察者の視度に最適化された観察像を提供することが可能となる。
【００１５】
ホログラム面を平面とする構成においては、ホログラムのパワーが外界光に影響せず、自然な外界光の観察が可能となる。また、光学的パワーを有する光束選択面を設ける構成においては、光束選択面を収差補正手段として利用することにより、さらなる良質な映像の提供が可能となる。
【図面の簡単な説明】
【００１６】
【図１】第１の実施形態の映像表示装置の光学系の構成を示す図。
【図２】ホログラムの製造光学系の概略構成を示す図。
【図３】入射光と出射光の角度差とホログラムの波長選択性の関係を示す図。
【図４】可視域における反射光と透過光の強度分布を示す図。
【図５】第２の実施形態の映像表示装置の光学系の構成を示す図。
【図６】第３の実施形態の映像表示装置の光学系の構成を示す図。
【図７】第４の実施形態の映像表示装置の光学系の構成を示す図。
【図８】第５の実施形態の映像表示装置の光学系の構成を示す図。
【図９】第６の実施形態の映像表示装置の光学系の構成を示す図。
【発明を実施するための形態】
【００１７】
以下、本発明の映像表示装置の実施形態について図面を参照しながら説明する。なお、第１の実施形態には偏向補正手段に相当する部分が無く、第２，第６の実施形態では偏向補正手段が光束選択面と対向しておらず、第３，第４の実施形態では偏向補正手段の瞳側の光学面が映像光と外界光とに対して視度補正機能を持つ光学的パワーを有していないため、これらの点で第１〜第４，第６の実施形態は本発明の参考のための一形態にすぎず、本発明には属さないものである。
【００１８】
〈第１の実施形態〉
図１に、第１の実施形態の映像表示装置１の光学系の構成を示す。この映像表示装置１は、映像形成部材１１、プリズム１２を備えている。
【００１９】
映像形成部材１１は、供給される映像信号に応じた表示を行い、表示映像に基づく映像光ＬＡを形成しこれを出射する。プリズム１２はポリメチルメタクリレート（ＰＭＭＡ）製であり、光の進行に関与する面として面１３，１４，１５を有している。面１３はアナモルフィック非球面の凹面であり、映像形成部材１１からの映像光ＬＡを全て透過するように設定されている。面１４は平面であり、面１３を透過した映像光ＬＡが臨界角を超えて入射するように設定されており、面１３を透過した映像光ＬＡは面１４で全反射される。
【００２０】
面１５は平面であり、体積型で位相型で反射型のホログラムが形成されている。映像形成部材１１で形成される映像光ＬＡの波長は、このホログラム１５の回折効率ピークの波長と略一致している。よって、ホログラム１５は、面１４からの映像光ＬＡを反射する。また、ホログラム１５は透明であり、外界光ＬＢを透過させる。このように、ホログラム１５は映像光ＬＡと外界光ＬＢとを重合するホログラムコンバイナＨＣとしての機能を有する。ホログラムコンバイナＨＣは、面１４で全反射された映像光ＬＡが、臨界角よりも小さい入射角で面１４に再度入射させるように設定されている。したがって、ホログラムコンバイナＨＣで反射された映像光ＬＡ、及びホログラムコンバイナＨＣで透過された外界光ＬＢは、面１４で透過され、観察者の瞳ＥＰに入射する。
【００２１】
ホログラムコンバイナＨＣは、面１４から入射する映像光ＬＡに対してのみ光学的パワーを有し、観察者の瞳ＥＰから見て無限遠に表示映像の虚像を形成する接眼機能を有する。一方、外界光ＬＢに対しては、単なる平面として作用し、光学的パワーを有さない。これにより、表示映像は拡大され、外界像は等倍で合わせて観察される。
【００２２】
面１４は、入射角によって透過・反射を選択的に行う光束選択面ＳＬとなっている。映像表示装置１は、光束選択面ＳＬにより、光路が折り畳まれており、コンパクトな配置構成が達成されている。また、光束選択面ＳＬによって光路が分離されているので、ホログラムコンバイナＨＣの偏心量が少ない構成とすることが可能となり、偏心収差の発生が低減される。これにより、広画角で良好な表示映像を提供することができる。
【００２３】
ホログラムコンバイナＨＣは、映像光ＬＡを正反射させる配置ではなく、映像光ＬＡに対して斜めに傾けて使用され、さらに接眼機能としての光学的パワーを有するので非軸対称光学系となる。非軸対称光学系において、このホログラムコンバイナＨＣが共軸レンズと同等の働きしか有さない場合は、傾いた方向に非対称な歪曲（台形歪曲）や非対称な像面湾曲が発生する。このためホログラムコンバイナＨＣには、単純な回転対称な波面再現性だけではなく、自由曲面的な波面再生を持たせることが望ましい。
【００２４】
このようなホログラムコンバイナＨＣにおけるホログラムの作成方法について説明する。図２に、ホログラムの製造光学系の概略構成を示す。図２中、Ｈは、ホログラムが記録される感光材料が塗布された基板を示す。レーザー光源から発せられたコヒーレント光線は、不図示のビームスプリッタによって２つの光線に分岐される。ここで、不図示の波長板等を用いて２つの光線の偏光方向は揃えられている。２つの光線はそれぞれ球面波発生レンズ，その球面波発生レンズの焦点におかれたピンホールを通してスペシャルフィルタリングされ、波面の揃った球面波に変換される。ここで、図２中、第１の点光源２６及び第２の点光源２７は、スペシャルフィルタリングに使用されたピンホールと一致している。
【００２５】
第２の点光源２７は、作成されたホログラムをホログラムコンバイナＨＣとして用いた映像表示装置１の使用状態における観察者の瞳ＥＰの位置に略一致するように設定されている。第２の点光源２７と瞳ＥＰの位置を一致させると、製造状態での製造光と使用状態での観察光がほぼ一致するので、ホログラムコンバイナＨＣの使用状態での回折効率を最も向上させることができる。
【００２６】
第１の点光源２６と基板Ｈとの間には、複数のレンズを偏心させて組み合わされた光学系２５が配置されている。光学系２５は、図２に示す断面でのみ偏心している。これらは、ホログラムコンバイナＨＣが使用状態において、表示映像の虚像が瞳で良好な像として観察されるように、基板Ｈに入射する製造時の波面をコントロールするように配置されている。また、光学系２５の偏心が１平面内だけで行われていると設計および製造上非常に簡単になるので好ましい。第１の点光源２６及び第２の点光源２７から入射される球面波の干渉が基板Ｈ上に記録され、ホログラムが作成される。
【００２７】
ホログラムは、基本的にそのホログラムを作成した光束（波長と角度）と同じ光束を与えたときの波面再現の回折効率が最も高くなる。よって、映像形成部材１１からの映像光ＬＡは、ホログラムの回折効率ピークの波長に合わせた波長の光とすることが望ましい。たとえば５３０ｎｍ近傍に回折効率ピークを持つホログラムコンバイナＨＣを用い、映像形成部材１１に液晶などの非自発型の素子を用いた場合、液晶を照明する光源としては５３０ｎｍ付近に発光ピークを持つ緑色のＬＥＤなどが適する。
【００２８】
ホログラムコンバイナＨＣには、波長選択性の高いホログラムを用いる必要がある。波長選択性が低いと、ホログラムコンバイナＨＣで反射される外界光ＬＢの波長巾が広くなり、不自然で暗い外界像が観察されることになるからである。ホログラムコンバイナＨＣに反射型ホログラムを用いているのはこのためである。反射型ホログラムは、透過型ホログラムに比べて波長選択性が非常に高い。つまり、特定の波長には反応するが、その他の波長には反応しないのである。外界光ＬＢの一部の波長（映像光ＬＡと同じ波長）以外には反応しないので、外界光ＬＢはほとんどホログラム１５の影響を受けない。したがって、外界像，表示映像ともに明るく良好な観察が可能となる。これは透過型ホログラムでは達成できない大きな特徴である。
【００２９】
図３に、感光材料の屈折率が１．５，作成波長５３０ｎｍ，感光材料の厚み５μｍのときの入射光と出射光の角度差θに対する反射型ホログラムＨＲと透過型ホログラムＨＴの波長選択性（波長巾）を示す。角度差θが９０度以上となるとき、すなわち反射型ホログラムＨＲの場合、透過型ホログラムＨＴに比べて波長選択性が非常に高くなることがわかる。
【００３０】
図４に、図３に示す反射型ホログラムＨＲにおける可視域の入射光の波長に対する反射光と透過光の強度の関係を示す。反射光の強度分布をｊ１で、透過光の強度分布をｊ２で表す。図４から、反射型ホログラムＨＲは波長選択性が非常に高いので、透過光すなわち映像表示装置１における外界光ＬＢの一部の波長（略５３０ｎｍ）にしか作用しないことがわかる。
【００３１】
ところで、薄いホログラムでは高次の回折光に相当する光が再生されるが、厚いホログラム（いわゆる体積型ホログラム）では１つの次数の光しか再生されない。したがって、ホログラムコンバイナＨＣとしては、高い回折効率を得ることができる体積型ホログラムが望ましい。また、振幅型ホログラムでは光がホログラムを通過するときに吸収されるが、位相型ホログラムでは光の吸収がない。したがって、ホログラムコンバイナＨＣとしては、明るい表示映像を得ることができる位相型のホログラムが望ましい。なお、体積型のホログラムの場合、反射型の方が透過型に比べて高い角度依存性を持たせることができるので、体積型で反射型のホログラムを用いることには、ホログラムコンバイナＨＣの配置の自由度が高くなるというメリットがある。以上のような理由から、本実施形態ではホログラムコンバイナＨＣに体積型・位相型・反射型のホログラムを用いている。
【００３２】
このように、本実施形態では波長選択性が非常に高いホログラムをホログラムコンバイナＨＣとして用いるので、半値巾２０〜４０ｎｍの発光波長巾を持つＬＥＤを映像形成部材１１における光源として用いた場合、エネルギー効率がたいへん良い構成とすることができ望ましい。もちろん、ホログラム作成に用いたレーザーと同じ発光波長を有するレーザーを光源として用いてもよい。
【００３３】
映像表示装置１の光学系の具体的な設定値を表１、表２に示す。以下においては、瞳正面方向（図１の右方向）をＸ軸、図１の上下方向をＹ軸、図１の奥行き方向をＺ軸としている。
【００３４】
【表１】
2010092061.tif 000003
【００３５】
【表２】
2010092061.tif 000004
【００３６】
表１において、ホログラム面の定義については、作成に用いる２光束を定義することによりホログラムを一義的に定義する。尚、本実施形態で作成に用いる２光束の波長は５３２ｎｍである。２光束の定義は、各光束の光源位置と、各光源からの出射ビームが収束ビーム（ＶＩＡ），発散ビーム（ＲＥＡ）のどちらであるかで行う。第１の点光源（ＨＶ１）、第２の点光源（ＨＶ２）の座標をそれぞれ（ＨＸ１、ＨＹ１、ＨＺ１）、（ＨＸ２、ＨＹ２、ＨＺ２）とする。
【００３７】
また、本実施形態においては、複雑なホログラムによる波面再生を行うので、２光束の定義に加えて、位相関数φにより入射光線に対する射出光線の方向余弦でも定義する。位相関数φは数１に示すホログラム面の位置（Ｘ，Ｙ）による生成多項式であり、係数が１次〜１０次までの昇順の単項式で表される。表１には、位相関数φの係数Ｃjを示す。
【００３８】
【数１】
2010092061.tif 000005
【００３９】
尚、係数Ｃjの番号ｊは、ｍ，ｎをＸ，Ｙの指数として数２で表される。
【００４０】
【数２】
2010092061.tif 000006
【００４１】
ここで、射出光線のＸ軸，Ｙ軸，Ｚ軸方向余弦は、数３で表される。
【００４２】
【数３】
2010092061.tif 000007
【００４３】
尚、数３において、ｌ’，ｍ’，ｎ’は各々射出光線の法線ベクトル、ｌ，ｍ，ｎは各々入射光線の法線ベクトル、λは再生光束の波長、λ０はホログラム作成光束の波長である。
【００４４】
表１において、アナモルフィック非球面に関するパラメータは、各面とその光軸との交点を原点とし、光軸をＺ軸としたときの、数４で定義されるＺ軸方向のサグＺを規定するものである（単位ｍｍ）。ＲＤＸはＸ軸方向の曲率半径である。
【００４５】
【数４】
2010092061.tif 000008
【００４６】
ここで、ＣＵＸ，ＣＵＹはＸ軸方向，Ｙ軸方向の曲率半径の逆数である。
【００４７】
表２は各面の相対的な位置関係を示したものである。ここでは、瞳面の中心を原点としたグローバル座標系で表現されている。ＸＳＣ，ＹＳＣ，ＺＳＣは、各面とその光軸との交点のＸ，Ｙ，Ｚ座標（単位ｍｍ）を表し、ＡＳＣ，ＢＳＣ，ＣＳＣは、Ｘ軸，Ｙ軸，Ｚ軸についての瞳面からの各面の回転角（単位゜）を表す。
【００４８】
〈第２の実施形態〉
第２の実施形態の映像表示装置２の光学系の構成を図５に示す。この映像表示装置２は、プリズム２１を備えている点のみ第１の実施形態の映像表示装置１と異なる。その他の構成は、第１の実施形態と同様である。
【００４９】
第１の実施形態の映像表示装置１では、ホログラムコンバイナＨＣの偏心量低減のため、ホログラムコンバイナＨＣと光束選択面ＳＬは平行でなく、角度を持たせて配置されている。このため、プリズム１２は楔形状となり、外界像は等倍だが偏向されている。本実施形態におけるプリズム２１は、この偏向を補正する機能を有する偏向補正部材ＤＣである。
【００５０】
プリズム２１は、ＰＭＭＡ製であり、平面２２をプリズム１２のホログラムコンバイナＨＣが形成されている面１５に対向させて配置されている。面１５と面２２は平行である。面１５と面２２の間には数十μｍ以下の微小な間隔が形成されている。また、プリズム２１の面２３（最も外界像側の面）とプリズム１２の面１４（最も瞳側の面）とは平行に配置されている。
【００５１】
外界光ＬＢはプリズム２１，１２を介して観察者の瞳ＥＰに入射するが、この際、上述のように面２２と面１５の間には空気が介在するため、また入射面２３と出射面１４が平行であるため偏向が補正され、より自然な外界観察が可能となる。
【００５２】
〈第３の実施形態〉
第３の実施形態の映像表示装置３の光学系の構成を図６に示す。この映像表示装置３は、映像形成部材３１、プリズム３２，３６を備えている。
【００５３】
映像形成部材３１は、供給される映像信号に応じた表示を行い、表示映像に基づく映像光ＬＡを形成しこれを出射する。プリズム３２はＰＭＭＡ製であり、光の進行に関与する面として面３３，３４，３５を有している。面３３はアナモルフィック非球面の凹面であり、映像形成部材３１からの映像光ＬＡを全て透過するように設定されている。面３４は平面であり、面３３を透過した映像光ＬＡが臨界角を超えて入射するように設定されており、面３３を透過した映像光ＬＡは面３４で全反射される。
【００５４】
面３５は平面であり、体積型で位相型で反射型のホログラムが形成されている。映像形成部材３１で形成される映像光ＬＡの波長は、このホログラム３５の回折効率ピークの波長と略一致している。よって、ホログラム３５は、面３４からの映像光ＬＡを反射する。また、ホログラム３５は透明であり、外界光ＬＢを透過させる。このように、ホログラム３５は映像光ＬＡと外界光ＬＢとを重合するホログラムコンバイナＨＣとしての機能を有する。ホログラムコンバイナＨＣは、面３４で全反射された映像光ＬＡが、臨界角よりも小さい入射角で面３４に再度入射させるように設定されている。したがって、ホログラムコンバイナＨＣで反射された映像光ＬＡ、及びホログラムコンバイナＨＣで透過された外界光ＬＢは、面３４で透過され、プリズム３６を介して観察者の瞳ＥＰに入射する。
【００５５】
ホログラムコンバイナＨＣは、面３４から入射する映像光ＬＡに対してのみ光学的パワーを有し、観察者の瞳ＥＰから見て無限遠に表示映像の虚像を形成する接眼機能を有する。一方、外界光ＬＢに対しては、単なる平面として作用し、光学的パワーを有さない。これにより、表示映像は拡大され、外界像は等倍で合わせて観察される。
【００５６】
面３４は、入射角によって透過・反射を選択的に行う光束選択面ＳＬとなっている。ホログラムコンバイナＨＣ、及び光束選択面ＳＬの詳細については、第１の実施形態で説明した通りであるのでここでは省略する。本実施形態では、第１の実施形態よりホログラムコンバイナＨＣの偏心量が小さいので、より偏心収差の少ない広画角な表示映像の観察が可能となる。
【００５７】
プリズム３２は楔形状となり、プリズム３２を透過する外界光ＬＢは偏向される。プリズム３６は、この偏向を補正する機能を有する偏向補正部材ＤＣである。
【００５８】
プリズム３６は、ＰＭＭＡ製であり、平面３７をプリズム３２の光束選択面ＳＬとなっている面３４に対向させて配置されている。面３４と面３７は平行である。面３４と面３７の間には数十μｍ以下の微小な間隔が形成されている。また、プリズム３２の面３５（最も外界像側の面）とプリズム３６の面３８（最も瞳側の面）とは平行に配置されている。
【００５９】
外界光ＬＢはプリズム３２，３６を介して観察者の瞳ＥＰに入射するが、この際、上述のように面３４と面３７の間には空気が介在するため、また入射面３５と出射面３８が平行であるため偏向が補正され、より自然な外界観察が可能となる。
【００６０】
映像表示装置３の光学系の具体的な設定値を表３，表４に示す。
【００６１】
【表３】
2010092061.tif 000009
【００６２】
【表４】
2010092061.tif 000010
【００６３】
尚、表３，表４で用いられるパラメータは第１の実施形態で規定するとおりである。
【００６４】
〈第４の実施形態〉
第４の実施形態の映像表示装置４の光学系の構成を図７に示す。この映像表示装置４は、第３の実施形態における光束選択面ＳＬを曲面化し、表示映像の収差補正機能をもたせた点以外の基本構成は、第３の実施形態と同様である。
【００６５】
映像表示装置４の光束選択面ＳＬとなっている面３４はアナモルフィックな曲面であるため、観察される表示映像の収差性能のさらなる改善をはかることが可能である。また、選択反射面ＳＬが曲面化していることによる透過光への影響を打ち消すため、偏向補正部材ＤＣであるプリズム３６の光束選択面ＳＬに対向する面３７も面３４と同様のアナモルフィック曲面となっている。
【００６６】
映像表示装置４の光学系の具体的な設定値を表５，表６に示す。
【００６７】
【表５】
2010092061.tif 000011
【００６８】
【表６】
2010092061.tif 000012
【００６９】
尚、表５，表６で用いられるパラメータは第１の実施形態で規定するとおりである。
【００７０】
〈第５の実施形態〉
第５の実施形態の映像表示装置５の光学系の構成を図８に示す。この映像表示装置５は、第３の実施形態の映像表示装置３において、最も瞳側の面３８を曲面化してパワーを持たせた他は、映像表示装置３と同様である。
【００７１】
面３８は、観察者の視度、または観察する外界像の視度を最適化するパワーを有するようにする。すなわち、面３８は視度調整機能を有する面ＳＣとなっており、映像表示装置５においては観察者の視度に最適化された観察像を得ることができ、より快適な映像観察が可能となる。
【００７２】
〈第６の実施形態〉
第６の実施形態の映像表示装置６の光学系の構成を図９に示す。この映像表示装置６は、第２の実施形態の映像表示装置２において、最も外界側の面２３を曲面化してパワーを持たせた他は、映像表示装置２と同様である。
【００７３】
面２３は、観察者の視度、または観察する外界像の視度を最適化するパワーを有するようにする。すなわち、面２３は視度調整機能を有する面ＳＣとなっており、映像表示装置６においては観察者の視度に最適化された観察像を得ることができ、より快適な映像観察が可能となる。
【００７４】
なお、上述した実施形態には以下の構成（＃１）〜（＃５）が含まれている。
【００７５】
（＃１）  観察者の眼前に配置されて、表示した映像を外界物体の像に重畳させて観察者に提供する映像表示装置において、反射型のホログラムからなり、観察者の瞳から見て前記外界物体と光学的に等価な面を前記外界物体とは別の位置に作成する光学的パワーを有するホログラムコンバイナと、前記等価な面の位置で映像表示を行う映像表示手段と、入射角度により透過・反射を選択的に行う光束選択面とを備え、前記映像表示に基づく映像光は、前記光束選択面で反射され、前記ホログラムコンバイナで反射され、前記光束
選択面で透過された後観察者の瞳に導かれ、前記外界物体に基づく外界光は、前記ホログラムコンバイナで透過され、前記光束選択面で透過された後観察者の瞳に導かれることを特徴とする映像表示装置。
【００７６】
構成（＃１）の映像表示装置は、波長選択性が高く、透過光に与える影響が少ない反射型のホログラムコンバイナにより表示映像と外界像とを重畳して観察者に提供するものであるので、表示映像，外界像ともに明るい像を提供できる。また、ホログラムコンバイナは光学的パワーを有し、表示映像が外界物体と同じ位置に観察されるようにする。すなわち、観察者は表示映像を無限遠に形成される虚像として観察することになる。このように、前記ホログラムコンバイナは表示映像を拡大して観察者の瞳に導く接眼機能をも有する。特別に接眼機能を有するレンズ等を設ける必要がないので、装置全体の簡素化及びコンパクト化が達成される。
【００７７】
また、光束選択面を設けて映像光の光路を折り畳むようにしている。これによっても、コンパクト化が達成される。前記光束選択面においては、映像光を全反射させてホログラムコンバイナに導き、また映像光と外界光が重合された観察光を全て透過させて観察者の瞳に導くことが可能となるので、明るい像を提供できる。また、前記光束選択面は入射角度により光束選択を行うので、ホログラムコンバイナを大きく偏心させて、光路分割を行う必要がない。故に、広画角で良質な映像を提供することが可能となる。
【００７８】
尚、構成（＃１）の映像表示装置において、前記映像光が前記ホログラムコンバイナに入射されるまでに、前記光束選択面で反射される回数は１回に限られることはなく、複数回反射される構成であってもよい。複数回反射されるようにすることで、装置全体のさらなるコンパクト化を図ることが可能となる。
【００７９】
したがって、構成（＃１）によると、光束選択面を設けることにより、広画角で偏心収差の少ない良好な表示映像を観察者に提供することができる。また、反射型のホログラムをコンバイナとして用いることにより、明るく自然な外界像を提供することができる。さらに、前記ホログラムに光学的パワーを持たせて接眼機能を有する構成とすることにより、表示映像の拡大表示が可能な構成でありながら、他のレンズ等を設けることなく簡素でコンパクトな構成が達成される。
【００８０】
（＃２）  前記ホログラムは平面に形成されていることを特徴とする（＃１）に記載の映像表示装置。
【００８１】
構成（＃２）のように、前記ホログラムは、平面に形成されているものを用いるとよい。平面ホログラムは、透過する前記外界光に対しては光学的パワーを有さないので、外界像に歪みが生じることがなく、自然な外界像の提供が可能となる。ホログラムは、平面であっても回折光に対して光学的パワーを持ち得る。一方、曲面にホログラムを作成することは困難である。この点からも、平面に形成されているホログラムを用いる方が有利である。
【００８２】
したがって、構成（＃２）のように前記ホログラムを平面とする構成においては、ホログラムのパワーが外界光に影響せず、自然な外界光の観察が可能となる。
【００８３】
（＃３）  前記外界光の透過部分で生じる偏向を補正する偏向補正手段を備えることを特徴とする（＃１）または（＃２）に記載の映像表示装置。
【００８４】
また、構成（＃３）のように、前記外界光の透過部分で生じる偏向を補正する偏向補正手段を設けてもよい。外界光は、ホログラムコンバイナ等、異なる媒質の境界を通過する際に偏向する。例えば、前記境界と微小な間隔をおいて平行に配置されるように偏向補正手段の媒質境界面を配置して偏向補正手段を設けることで、この部分で生じる外界光の偏向を補正することができる。また、外界光が通過する最も外界側の面と、最も瞳側の面とが略平行な平面となるように偏向補正手段を設けることで、外界光の偏向のさらなる補正が可能となる。このような構成により、より自然な外界像の提供が可能となる。
【００８５】
したがって、構成（＃３）のように外界光の偏向を補正する偏向補正手段を設ける構成においては、傾きのないより自然な外界光の観察が可能となる。
【００８６】
（＃４）  前記偏向補正手段は、視度を補正する光学的パワーを有する視度補正面を備えることを特徴とする（＃３）に記載の映像表示装置。
【００８７】
構成（＃４）のように、前記偏向補正手段は、外界光が透過する面として少なくとも前記偏向補正手段の媒質境界面と、視度を補正する光学的パワーを有する視度補正面とを備えるようにしてもよい。視度補正面により、観察者に合わせた視度が得られる構成とし、さらなる良好な画像の提供が可能となる。
【００８８】
したがって、構成（＃４）のように視度を補正する面を有する前記偏向補正手段を設ける構成においては、観察者の視度に最適化された観察像を提供することが可能となる。
【００８９】
（＃５）  前記光束選択面は、光学的パワーを有することを特徴とする（＃１）〜（＃４）のいずれか１項に記載の映像表示装置。
【００９０】
構成（＃５）のように、前記光束選択面を、光学的パワーを有する構成としてもよい。この面を、映像光の収差補正手段として利用することで、さらなる良質な表示映像を提供することが可能となる。
【００９１】
したがって、構成（＃５）のように光学的パワーを有する光束選択面を設ける構成においては、光束選択面を収差補正手段として利用することにより、さらなる良質な映像の提供が可能となる。
【符号の説明】
【００９２】
１，２，３，４，５    映像表示装置
１１，３１    映像形成部材
ＬＡ    映像光
ＬＢ    外界光
ＳＬ    光束選択面
ＨＣ    ホログラムコンバイナ
ＥＰ    瞳位置
ＤＣ    偏向補正部材
ＳＣ    視度調整面
【図１】
2010092061.tif 000013
【図２】
2010092061.tif 000014
【図３】
2010092061.tif 000015
【図４】
2010092061.tif 000016
【図５】
2010092061.tif 000017
【図６】
2010092061.tif 000018
【図７】
2010092061.tif 000019
【図８】
2010092061.tif 000020
【図９】
2010092061.tif 000021